(57)【要約】【課題】異常が発生した場合に早急な異常の解決に対応する。【解決手段】異常通知機能付電鉄用受変電システムは、制御手段と、検出手段と、生成手段と、送信手段とを備える。制御手段は、電気鉄道への電力の供給を制御する。検出手段は、電気鉄道への電力の供給に関する異常の発生を検出する。生成手段は、検出手段が異常を検出すると、電気鉄道への電力の供給に関する状況を含む異常通知データを生成する。送信手段は、生成手段が生成した異常通知データを予め定められる端末に送信する。【選択図】  図１
2013165420.tif 000002
【特許請求の範囲】
【請求項１】
電気鉄道への電力の供給を制御する制御手段と、
電気鉄道への電力の供給に関する異常の発生を検出する検出手段と、
前記検出手段が異常を検出すると、電気鉄道への電力の供給に関する状況を含む異常通知データを生成する生成手段と、
前記生成手段が生成した異常通知データを予め定められる端末に送信する送信手段と、
を備えることを特徴とする異常通知機能付電鉄用受変電システム。
【発明の詳細な説明】
【技術分野】
【０００１】
本発明は、電鉄用受変電システムを制御するとともに、異常の発生を通知する機能を有する異常通知機能付電鉄用受変電システムに関する。
【背景技術】
【０００２】
電鉄用受変電システムは、公共の交通機関である電気鉄道（電鉄）に必要な電力供給を行なうものであり、信頼性が重要である。したがって、電鉄用受変電システムでは異常の発生を防止する必要がある。また、電鉄用受変電システムでは、異常が発生した場合でも電鉄が停止しないように主系及び待機系を備え、いずれかが確実に動作可能にすることが好ましい。さらに、電鉄用受変電システムでは、異常が発生した場合には直ちに復旧可能である必要がある。
【０００３】
このような電鉄用受変電システムは、複数箇所に分散して配置されており、それぞれが所定の区間を移動する電鉄を制御している。
【０００４】
いずれかの電鉄用受変電システムで異常が発生し、異常が発生した電鉄用受変電システムで復旧ができない場合には、各電鉄用受変電システムの復旧を対応するオペレータや電鉄用受変電システムの製造者等が異常が発生した電鉄用受変電システムへ行って復旧作業を行なう。その際、異常が発生した電鉄用受変電システムへ向うオペレータや製造者が現在の電鉄用受変電システムの状況を知っていれば、復旧に必要な器具等を準備することもできるため効率的である。
【０００５】
したがって、電鉄用受変電システムを操作等する現地スタッフが、ディスプレイ等に表示されている電鉄用受変電システムの状況をメモし又は写真に撮るなどして、復旧作業を行なうオペレータや製造者に現在の状況のデータを予め送信している。
【先行技術文献】
【特許文献】
【０００６】
【特許文献１】特表２００５−５０３７４０号公報
【発明の概要】
【発明が解決しようとする課題】
【０００７】
上述したように、従来の電鉄用受変電システムでは、メモや写真を生成してデータで送信するための現地スタッフの手間が必要になる。また、仮にメモした内容に誤りがある場合、正確な状況を把握することができないことにより、復旧が遅れるおそれもある。さらに、多量のデータのいち一部を送信する場合、必要なデータが欠落した場合にも、正確な状況を把握することができなくなり、復旧が遅れることになる。
【０００８】
従って本発明は、異常が発生した場合に早急な異常の解決に対応することができる異常通知機能付電鉄用受変電システムを提供する。
【課題を解決するための手段】
【０００９】
実施形態に係る異常通知機能付電鉄用受変電システムは、制御手段と、検出手段と、生成手段と、送信手段とを備える。制御手段は、電気鉄道への電力の供給を制御する。検出手段は、電気鉄道への電力の供給に関する異常の発生を検出する。生成手段は、検出手段が異常を検出すると、電気鉄道への電力の供給に関する状況を含む異常通知データを生成する。送信手段は、生成手段が生成した異常通知データを予め定められる端末に送信する。
【図面の簡単な説明】
【００１０】
【図１】本発明の実施形態に係る異常通知機能付電鉄用受変電システムの構成を説明する機能ブロック図である。
【発明を実施するための形態】
【００１１】
図１を用いて本発明の実施形態に係る異常通知機能付電鉄用受変電システム１について説明する。この異常通知機能付電鉄用受変電システム１は、電鉄（電気鉄道）に利用する電力供給を行なう電鉄用受変電システム１０と、電鉄用受変電システム１０における異常を検出して通知する異常通知装置１１とを有している。
【００１２】
異常通知機能付電鉄用受変電システム１は、ネットワーク２を介して外部の端末３と接続されている。この端末３は、異常が発生した電鉄用受変電システム１０を復旧するオペレータや電鉄用受変電システム１０の製造者が操作可能なものである。また、ネットワーク２には例えば、ＩＰ（インターネットプロトコル）を利用する。
【００１３】
図１に示すように、電鉄用受変電システム１０は、一般的な電鉄用の受変電システムと同様の構成であって、電鉄の運転のための電力供給を制御する制御装置１０１、電力供給先から電力を受電する受電システム１０２、受電した電力を架線に供給するき電システム１０３、き電区間で切替を行なう切替システム１０４とを備え、これらがネットワーク１２を介して接続されている。
【００１４】
制御装置１０１は、受電システム１０２、き電システム１０３及び切替システム１０４を制御するものであり、屋内に配置されている。制御装置１０１は、ネットワーク１２を介して受電システム１０２、き電システム１０３及び切替システム１０４に操作信号を送信する。制御装置１０１は、予め定められる操作プログラムに従って送信し、または、キーボードや操作ボタン等の入力手段を介して入力された操作に従って送信する。
【００１５】
また、制御装置１０１は、受電システム１０２、き電システム１０３及び切替システム１０４から定期的等の所定のタイミングで、き電及び変換等の運転の状況を含む状況データを受信し、メモリ（図示せず）に記憶する。この制御装置１０１は、ディスプレイ（図示せず）を有し、受信してメモリに記憶した状況データの内容を含む状況画面を表示する。
【００１６】
また、制御装置１０１は、電鉄用受変電システム１０で異常が発生した場合、状況データに基づいて、異常の内容を含む異常画面をディスプレイに表示する。ここで、異常が発生した場合には、受信した状況データから異常を検出する他、異常が発生したシステムから異常データを受信して異常を検出してもよいし、受信するはずの状況データを受信しないことで異常を検出してもよい。なお、制御装置１０１は、異常データを受信した場合、受信した異常データをメモリに記憶し、このメモリに記憶した異常データの内容を利用して異常画面をディスプレイに表示する。
【００１７】
なお、制御装置１０１は、例えば、ＰＣ（パーソナルコンピュータ）等の情報処理装置によって構成されるＳＣＡＤＡ（Supervisory Control And Data Acquisition）である。
【００１８】
受電システム１０２は、制御装置１０１から入力する操作信号に従って送電線（図示せず）から供給される電力を受電し、電鉄の制御に適した電圧に変換する。また、受電システム１０２は、受電及び変換の状況を状況データとして制御装置１０１に送信する。
【００１９】
き電システム１０３は、制御装置１０１から入力する操作信号に従って受電システム１０２が受電し、変換した電力を電鉄に供給する。また、き電システム１０３は、き電の状況を状況データとして制御装置１０１に送信する。
【００２０】
切替システム１０４は、制御装置１０１から入力する操作信号に従ってき電システム１０３によるき電の切替を制御する。また、切替システム１０４は、切替の状況を状況データとして制御装置１０１に送信する。
【００２１】
受電システム１０２、き電システム１０３及び切替システム１０４もそれぞれ複数の装置や機器によって構成されており、一部は制御装置１０１とともに変電所等の屋内に配置されているが、一部は屋外に配置されている。
【００２２】
制御装置１０１、受電システム１０２、き電システム１０３及び切替システム１０４を接続するネットワーク１２は、ＬＡＮ（ローカルエリアネットワーク）等の変電所内でのみ通信可能な通信網であることが好ましい。すなわち、インターネットのように公衆通信回線を利用した場合、セキュリティ確保が困難であるためである。
【００２３】
異常通知装置１１は、電鉄用受変電システム１０の異常を検出する検出手段１１１、異常内容を含む異常通知データを生成する生成手段１１２及び生成手段１１２が生成した送信データを送信する送信手段１１３を備えている。
【００２４】
検出手段１１１は、ネットワーク１２を介して、電鉄用受変電システム１０と接続されており、電鉄用受変電システム１０での異常の発生を検出する。すなわち、検出手段１１１は、電鉄用受変電システム１０がメモリに記憶する状況データ（異常データを受信した場合には、異常データ）を参照し、異常の発生の有無を検出する。
【００２５】
生成手段１１２は、検出手段１１１が異常の発生を検出すると、ネットワーク１２を介して、制御装置１０１から状況画面及び異常画面を取得し、取得した状況画面や異常画面の内容を含む異常通知データを生成する。例えば、異常画面に含まれる「異常が発生した装置や機器の識別情報」、「異常が発生したタイミング」及び「異常の内容」が含まれることが好ましい。
【００２６】
送信手段１１３は、生成手段１１２が異常通知データを生成すると、生成した異常通知データを、ネットワーク２を介して端末３に送信する。このとき、異常を検出した異常通知装置１１は、いわゆるプッシュ型で異常通知データを端末３に送信することが好ましい。すなわち、端末３では、異常の発生及び電鉄用受変電システム１０の状況を直ちに知ることが好ましい為である。また、例えば、生成手段１１２は、ＢＭＬ（Broadcast Markup Language）を用いて異常通知データを生成する。
【００２７】
端末３は、例えば、ディスプレイやランプ等を有する情報処理装置である。異常通知データを受信した端末３では、受信した異常通知データにより、電鉄用受変電システム１０における異常の発生を知ることができる。また、端末３では、異常通知データに含まれる内容から、異常の内容についても把握することが可能となり、異常の早期解決を実現することができる。
【００２８】
上述したように、実施形態に係る異常通知機能付電鉄用受変電システム１によれば、電鉄用受変電システム１０で異常が発生した場合、状況や異常の内容を含む送信データを生成し、これを端末３に送信する。したがって、現地スタッフの手間を必要とせず、また、現地スタッフのスキル等によらない安定した内容を端末３に提供することができ、異常の早期解決につながる。
【００２９】
上記のように、本発明を実施形態によって記載したが、この開示の一部をなす論述および図面はこの発明を限定するものであると理解すべきではない。この開示から当業者には様々な代替実施形態、実施例および運用技術が明らかとなる。また、本発明はここでは記載していない様々な実施形態等を含むことは勿論である。
【符号の説明】
【００３０】
１…異常通知機能付電鉄用受変電システム
１０…電鉄用受変電システム
１０１…制御装置
１０２…受電システム
１０３…電システム
１０４…切替システム
１１…異常通知装置
１１１…検出手段
１１２…生成手段
１１３…送信手段
１２…ネットワーク
２…ネットワーク
３…端末
【図１】
2013165420.tif 000003